(57)【要約】  低フレームレートの場合においても動画応答改善効果とフリッカーの低減の両立を可能とする画像処理装置および画像処理方法を提供する。連続する複数のサブフレームからサブフレーム内の画像の動きを検出する第１の検出部１２１、およびサブフレーム内において、画像を構成する画素についてその周辺画素と所定値以上のレベル差のある成分を検出する第２の検出部１２２を含む処理領域検出部１２０と、処理領域検出部１２０の出力信号に応じて、複数のサブフレームのうち対応するサブフレーム内の動きの検出されたレベル差のある成分の領域に階調変換を行う複数の適応階調変換部１３１，１３２、および選択的に階調変換されたサブフレームをサブフレームレート毎に交互に選択して出力するサブフレーム選択出力部１３３を含む階調変換部１３０と、を有する。
2008016036.tif 000002
【特許請求の範囲】
【請求項１】
表示パネルに表示される画像を参照画像とした場合に、当該参照画像を、所定の表示駆動と、少なくとも２つの時間的に連続する画面の異なる明暗の階調により当該参照画像に対応する所定の１つの階調を表現する改善擬似インパルス駆動とにより上記表示パネルに表示可能な画像処理装置であって、
上記参照画像の時間的に前または後ろの画像情報から当該参照画像内の画像の動きを検出した動き検出結果と、当該参照画像内において、画像を構成する画素についてその周辺画素と所定値以上のレベル差のある成分を検出したレベル差検出結果とを含む出力信号を出力する処理領域検出部と、
上記処理領域検出部から出力される動き検出結果とレベル差検出結果とを含む出力信号に応じて、上記参照画像内の動きを検出し、かつ、上記レベル差が検出された領域に上記改善擬似インパルス駆動を適応的に適用する適応駆動部と、
を有する画像処理装置。
【請求項２】
上記所定の表示駆動による画面は、明るさが略等しい少なくとも２つの連続する画面を含む
請求項１記載の画像処理装置。
【請求項３】
上記処理領域検出部が検出する所定値以上のレベル差のある成分は画像の輪郭を構成するエッジ成分であり、
上記適応駆動部は画面内のエッジ成分が検出された領域にのみ選択的に上記改善擬似インパルス駆動を適用する
請求項１記載の画像処理装置。
【請求項４】
複数のサブフレームにより入力映像信号の１つのフレームに対応する画像信号を出力する画像処理装置であって、
時間的に連続する上記複数のサブフレームからサブフレーム内の画像の動きを検出する第１の検出部、およびサブフレーム内において、画像を構成する画素についてその周辺画素と所定値以上のレベル差のある成分を検出する第２の検出部を含む処理領域検出部と、
上記処理領域検出部において検出された動き検出値とレベル差の検出値に応じて、上記第１および第２の検出部により上記複数のサブフレームのうち対応するサブフレーム内の動きの検出された上記レベル差のある成分の領域に階調変換を行う複数の適応階調変換部、および選択的に階調変換された各サブフレームをサブフレームレート毎に切替て選択して出力するサブフレーム選択出力部を含む階調変換部と、
を有する画像処理装置。
【請求項５】
上記各適応階調変換部は、上記画像信号より明るいレベルと暗いレベルにそれぞれ対応する所定の特性に従った階調変換を行う
請求項４記載の画像処理装置。
【請求項６】
上記各適応階調変換部により変換された複数のサブフレームを改善擬似インパルス駆動で表示した時のある画像の輝度は、変換前の入力信号の１フレームを上記所定の表示駆動で生じたした時の輝度と略等しい
請求項４記載の画像処理装置。
【請求項７】
入力映像信号のフレームを当該フレームより高いレートの複数のサブフレームに変換し、上記変換したサブフレームを、上記処理領域検出部および上記階調変換部に出力するフレームレート変換部を、さらに有する
請求項４記載の画像処理装置。
【請求項８】
上記処理領域検出部の第２の検出部が検出する所定値以上のレベル差のある成分は画像の輪郭を構成するエッジ成分であり、
上記階調変換部の各適応階調変換部はサブフレーム画像内の第１の検出部で動きと検出され、かつ第２の検出部でエッジ成分と検出された領域に対して選択的に階調変換を行う
請求項４記載の画像処理装置。
【請求項９】
上記各適応階調変換部は、上記画像信号より明るいレベルと暗いレベルにそれぞれ対応する所定の特性に従った階調変換を行う
請求項８記載の画像処理装置。
【請求項１０】
入力映像信号のフレームを当該フレームより高いレートの複数のサブフレームに変換し、上記変換したサブフレームを上記処理領域検出部および上記階調変換部に出力するフレームレート変換部を、さらに有する
請求項８記載の画像処理装置。
【請求項１１】
複数のサブフレームにより入力映像信号の１つのフレームに対応する画像信号を出力する画像処理方法であって、
時間的に連続する上記複数のサブフレームからサブフレーム内の画像の動きを検出する第１ステップと、
サブフレーム内において、画像を構成する画素についてその周辺画素と所定値以上のレベル差のある成分を検出する第２ステップと、
上記第１および第２ステップにより上記複数のサブフレームのうち対応するサブフレーム内の動きの検出された上記レベル差のある成分の領域に階調変換を行う第３ステップと、
選択的に階調変換された各サブフレームをサブフレームレート毎に切替て選択して出力する第４ステップと、
を有する画像処理方法。
【発明の詳細な説明】
【技術分野】
【０００１】
本発明は、たとえば液晶表示装置(液晶ディスプレイデバイス)のように入力映像信号に応じた階調表示が可能な画像処理装置および画像処理方法に関するものであり、特に、動画応答特性を改善するための技術に関するものである。
【背景技術】
【０００２】
ホールド型表示を行う液晶ディスプレイデバイス（以下、ＬＣＤという）を擬似的にインパルス表示させて動画応答の改善を行うための方法として、黒フレーム挿入やバックライトブリンキングといった黒挿入技術が市販のＬＣＤで広く使われている。
しかし、これら技術には黒挿入率を上げて動画応答改善効果を上げれば上げる程輝度が低下するという問題点がある。【０００３】
そこで、輝度を低下させずに動画応答改善を行う擬似インパルス表示方法(以下、改善擬似インパルス駆動という)として、以下の様な技術が提案されている。【０００４】
１．通常の表示フレームレート（たとえば６０Ｈｚ）の２倍またはそれ以上のハイフレームレート（たとえば１２０Ｈｚ）で表示パネルを駆動する。【０００５】
２．通常フレームレートの１枚のフレームをハイフレームレートの複数枚のサブフレーム（たとえば６０Ｈｚ→１２０Ｈｚの場合２枚のサブフレーム)にフレームレート変換を行い、かつ階調変換も行う。
なお、フレームレート変換の方法は、補間フレームの作成方法でも単なるオリジナルフレーム複製方法でも構わない。【０００６】
３．ある画素の階調変換前のフレームの輝度とフレームレート変換後の複数枚のサブフレームの平均輝度が同じとなるような階調変換を行うので、輝度の低下は起こらない。【０００７】
図１は、改善擬似インパルス駆動法を採用したＬＣＤ用画像処理装置の構成例を示すブロック図である。【０００８】
この画像処理装置１は、フレームレート変換部２、階調変換部３、および液晶パネル４を有する。階調変換部３は、第１サブフレーム用の第１変換部３１、第２サブフレーム用の第２変換部３２、およびサブフレーム選択出力部３３を含む。【０００９】
ここで、図１の画像処理装置１における改善擬似インパルス駆動処理を、図２〜図５に関連付けて説明する。
図２は一般的なホールド駆動のフレームレート変換および階調変換前のフレームの出力階調特性を示す図、図３は階調変換特性を示す図、図４は改善擬似インパルス駆動を採用した場合のフレームレート変換および階調変換後のサブフレームの出力階調特性を示す図、図５は改善擬似インパルス駆動を採用した場合のフレームレート変換およぶ階調変換後のサブフレームの透過率特性を示す図である。【００１０】
図２に図示のごとく６０Ｈｚの各フレームを１２０Ｈｚの第１サブフレームおよび第２サブフレームにレート変換後、第１および第２サブフレームをそれぞれ図３中に実線Ａ、Ａ'で示す特性に従った階調変換を行った結果を図４に示す。
このときの液晶の応答は、図５に示すように、インパルス波形に類似する擬似インパルスとなるので、ホールド型表示に起因する液晶動画応答が改善される。
【発明の開示】
【発明が解決しようとする課題】
【００１１】
ところが、改善擬似インパルス駆動では、液晶が擬似インパルス応答となる輝度での視覚的なフレームレートは、図５に示すように、あたかも通常のフレームレートのように見えるため、通常フレームレートによるフリッカーが発生する。【００１２】
図３中に破線Ｂ、Ｂ'で示す特性のように、階調変換特性を直線Cに近づければ近づける程フリッカーは減少し目視によるフリッカーは低減するが、その分液晶の応答も擬似インパルスからホールド方向に戻るので動画応答改善効果も低減する。このように、最終的にはフリッカーの低減と動画応答改善効果のトレードオフとなってしまう。
特に、入力信号がＰＡＬ（Phase Alternation by Line）方式等の低フレームレートの場合はフリッカーの低減が顕著に現れ、フリッカーの低減が全く感じられない階調変換特性を選択すると、動画応答改善効果は殆ど認識できなくなり、フリッカーの低減動画応答改善効果の向上の両立が不可能であった。【００１３】
本発明は、低フレームレートの場合においても動画応答改善効果とフリッカーの低減の両立を可能とする画像処理装置および画像処理方法を提供することにある。
【課題を解決するための手段】
【００１４】
本発明の第１の観点は、表示パネルに表示される画像を参照画像とした場合に、当該参照画像を、所定の表示駆動と、少なくとも２つの時間的に連続する画面の異なる明暗の階調により当該参照画像に対応する所定の１つの階調を表現する改善擬似インパルス駆動とにより上記表示パネルに表示可能な画像処理装置であって、上記参照画像の時間的に前または後ろの画像情報から当該参照画像内の画像の動きを検出した動き検出結果と、当該参照画像内において、画像を構成する画素についてその周辺画素と所定値以上のレベル差のある成分を検出したレベル差検出結果とを含む出力信号を出力する処理領域検出部と、上記処理領域検出部から出力される動き検出結果とレベル差検出結果とを含む出力信号に応じて、上記参照画像内の動きを検出し、かつ、上記レベル差が検出された領域に上記改善擬似インパルス駆動を適応的に適用する適応駆動部と、を有する。【００１５】
好適には、上記所定の表示駆動による画面は、明るさが略等しい少なくとも２つの連続する画面を含む。【００１６】
本発明の第２の観点は、複数のサブフレームにより入力映像信号の１つのフレームに対応する画像信号を出力する画像処理装置であって、時間的に連続する上記複数のサブフレームからサブフレーム内の画像の動きを検出する第１の検出部、およびサブフレーム内において、画像を構成する画素についてその周辺画素と所定値以上のレベル差のある成分を検出する第２の検出部を含む処理領域検出部と、上記処理領域検出部において検出された動き検出値とレベル差の検出値に応じて、上記第１および第２の検出部により上記複数のサブフレームのうち対応するサブフレーム内の動きの検出された上記レベル差のある成分の領域に階調変換を行う複数の適応階調変換部、および選択的に階調変換された各サブフレームをサブフレームレート毎に切替て選択して出力するサブフレーム選択出力部を含む階調変換部と、を有する。【００１７】
好適には、上記各適応階調変換部は、上記画像信号より明るいレベルと暗いレベルにそれぞれ対応する所定の特性に従った階調変換を行う。【００１８】
好適には、上記各適応階調変換部により変換される前の上記画像信号は、上記複数のサブフレームの明るさが略等しい。【００１９】
好適には、入力映像信号のフレームを当該フレームより高いレートの複数のサブフレームに変換し、上記変換したサブフレームを、上記処理領域検出部および上記階調変換部に出力するフレームレート変換部を、さらに有する。【００２０】
好適には、上記処理領域検出部の第２の検出部が検出する所定値以上のレベル差のある成分は画像の輪郭を構成するエッジ成分であり、上記階調変換部の各適応階調変換部はサブフレーム画像内の第１の検出部で動きと検出され、かつ第２の検出部でエッジ成分と検出された領域に対して選択的に階調変換を行う。【００２１】
好適には、入力映像信号のフレームを当該フレームより高いレートの複数のサブフレームに変換し、上記変換したサブフレームを上記処理領域検出部および上記階調変換部に出力するフレームレート変換部を、さらに有する。【００２２】
本発明の第３の観点は、複数のサブフレームにより入力映像信号の１つのフレームに対応する画像信号を出力する画像処理方法であって、時間的に連続する上記複数のサブフレームからサブフレーム内の画像の動きを検出する第１ステップと、サブフレーム内において、画像を構成する画素についてその周辺画素と所定値以上のレベル差のある成分を検出する第２ステップと、上記第１および第２ステップにより上記複数のサブフレームのうち対応するサブフレーム内の動きの検出された上記レベル差のある成分の領域に階調変換を行う第３ステップと、選択的に階調変換された各サブフレームをサブフレームレート毎に切替て選択して出力する第４ステップと、を有する。【００２３】
本発明によれば、画像処理装置は、表示パネルに表示される画像を参照画像とした場合に、この参照画像を、所定の表示駆動と、少なくとも２つの連続する画面の異なる明暗の階調により参照画像に対応する所定の１つの階調を表現する改善擬似インパルス駆動とにより表示パネルに表示可能に構成される。
たとえば処理領域検出部において、参照画像の時間的に前または後ろの画像情報からこの参照画像内の画像の動きが検出される。そして、この検出した動き検出結果と、参照画像内において、画像を構成する画素についてその周辺画素と所定値以上のレベル差のある成分を検出したレベル差検出結果とを含む信号が処理領域検出部から適応駆動部に出力される。
適応駆動部においては、処理領域検出部の出力信号に応じて、参照画像内の動きが検出される。そして、レベル差が検出された領域に改善擬似インパルス駆動が適応的に適用される。
【発明の効果】
【００２４】
本発明によれば、低フレームレートの場合においても動画応答改善効果とフリッカーの低減の両立が可能となるという利点がある。
【図面の簡単な説明】
【００２５】
【図１】改善擬似インパルス駆動法を採用したＬＣＤ用画像処理装置の構成例を示すブロック図である。
【図２】一般的なホールド駆動のフレームレート変換および階調変換前のフレームの出力階調特性を示す図である。
【図３】階調変換特性を示す図である。
【図４】改善擬似インパルス駆動を採用した場合のフレームレート変換および階調変換後のサブフレームの出力階調特性を示す図である。
【図５】改善擬似インパルス駆動を採用した場合のフレームレート変換およぶ階調変換後のサブフレームの透過率特性を示す図である。
【図６】本発明の実施形態に係る画像処理装置の構成例を示すブロック図である。
【図７】本実施形態に係る処理領域検出部の処理概念を説明するための図である。
【図８】本発明の実施形態に基づく、改善擬似インパルス駆動を採用した場合のフレームレート変換および階調変換後のサブフレームの出力階調特性を示す図である。
【図９】本発明の実施形態に基づく、改善擬似インパルス駆動を採用した場合のフレームレート変換およぶ階調変換後のサブフレームの透過率特性を示す図である。
【符号の説明】
【００２６】
１００・・・画像処理装置、１１０・・・フレームレート変換部、１２０・・・処理領域検出部、１２１・・・動き検出部（第１の検出部）、１２２・・・エッジ検出部（第２の検出部）、１２３・・・検出合成部、１３０・・・階調変換部（適応駆動部）、１３１・・・第１適応階調変換部、１３２・・・第２適応階調変換部、１３３・・・サブフレーム選択出力部、１４０・・・液晶パネル。
【発明を実施するための最良の形態】
【００２７】
以下、本発明の実施形態を図面に関連付けて説明する。【００２８】
本実施形態に係る画像処理装置は、表示パネル(たとえば液晶パネル)に表示される画像を参照画像とした場合に、この該参照画像を、所定の表示駆動と、少なくとも２つの時間的に連続する画面の異なる明暗の階調により当該参照画像に対応する所定の１つの階調を表現する改善擬似インパルス駆動とにより表示パネルに表示可能に構成されている。
より具体的には、本実施形態の画像処理装置は、改善擬似インパルス駆動を単にフレーム画像全体に適応させるのではなく、フレーム画像内から動画表示時のボケ感の発生源である動画のエッジ領域を検出し、この領域にのみ改善擬似インパルス駆動を適応的に適用させることにより、低フレームレートの場合においても動画応答改善効果とフリッカーの低減の両立を可能としている。【００２９】
なお、本実施形態において、改善擬似インパルス駆動として、以下のような技術が含まれるものとする。
１．通常の表示フレームレート（たとえば６０Ｈｚ）の２倍またはそれ以上のハイフレームレート（たとえば１２０Ｈｚ）で表示パネルを駆動する。
２．通常フレームレートの１枚のフレームをハイフレームレートの複数枚のサブフレーム（たとえば６０Ｈｚ→１２０Ｈｚの場合２枚のサブフレーム)にフレームレート変換を行い、かつ階調変換も行う。
なお、フレームレート変換の方法は、補間フレームを作成してもよいし、単なるオリジナルフレームの複製でも構わない。
３．ある画素の階調変換前のフレームの輝度とフレームレート変換後の複数枚のサブフレームの平均輝度が同じとなるような階調変換を行うので、輝度の低下は起こらない。
以下、本実施形態の上記２．の改善擬似インパルス駆動に対応する画像処理装置の構成、機能について具体的に説明する。【００３０】
図６は、本発明の実施形態に係る画像処理装置の構成例を示すブロック図である。【００３１】
本画像処理装置１００は、図６に示すように、フレームレート変換部１１０、処理領域検出部１２０、階調変換部(適応駆動部)１３０、および液晶パネル１４０を有する。
なお、本画像処理装置１００に入力される映像信号ＳＩＮのフレームレートは一例として６０Ｈｚとして説明する。【００３２】
フレームレート変換部１１０は、入力映像信号ＳＩＮの６０Ｈｚのフレームを１２０Ｈｚの第１サブフレームＳＦＲＭ１および第２サブフレームＳＦＲＭ２へとフレーム変換を行い、階調変換部１３０および処理領域検出部１２０に出力する。
なお、フレームレート変換の方法は、動き検出による補間フレームを作成してもよいし、単なるオリジナルフレーム複製でも構わない。【００３３】
処理領域検出部１２０は、連続する複数のサブフレーム（本実施形態では第１サブフレームＳＦＲＭ１と第２サブフレームＳＦＲＭ２）からサブフレーム内の動画像の動きを検出する動き検出部（第１の検出部）１２１と、サブフレーム内のエッジ成分を検出するエッジ検出部１２２（第２の検出部）と、動き検出結果とエッジ検出結果を合成し、合成結果を信号Ｓ１２３として階調変換部１３０に出力する検出合成部１２３とを有する。第２の検出部としてのエッジ検出部１２２は、サブフレーム内において、画像を構成する画素についてその周辺画素と所定値以上のレベル差のある成分を検出してエッジ検出を行う。【００３４】
図７は、本実施形態に係る処理領域検出部の処理概念を説明するための図である。
図７の処理領域検出部１２０の処理概念図を使って、サブフレーム内の動画のエッジ領域検出方法の概要を説明する。【００３５】
図７（Ａ）に示すように１２０Ｈｚにフレームレート変換されたサブフレームＳＦＲＭ２−０，サブフレームＳＦＲＭ１−１，サブフレームＳＦＲＭ２−１が処理領域検出部１２０に入力されたとする。
処理領域検出部１２０において、動き検出部１２１は各サブフレームの情報から動画像の動き検出を行い、図７（Ｂ）に示すように、サブフレームＳＦＲＭ１−１，サブフレームＳＦＲＭ２−１に対応した動き検出結果ＭＤ１−１，動き検出結果ＭＤ２−１を出力する。
このときの動き検出の方法は、ブロックマッチング法の動きベクトル検出方法でもよいし、フレーム間差分を利用したフレーム間動き検出方法でも構わない。
エッジ検出部１２２は各サブフレーム内のエッジ検出を行い、図７（Ｃ）に示すように、サブフレームＳＦＲＭ１−１，サブフレームＳＦＲＭ２−１に対応したエッジ検出結果ＥＤ１−１，エッジ検出結果ＥＤ２−１を出力する。
検出合成部１２３は、動き検出結果とエッジ検出結果の合成および各種調整処理(検出領域広げ、検出領域丸め、孤立点処理など)を行い、図７（Ｄ）に示すように、サブフレームＳＦＲＭ１−１，サブフレームＳＦＲＭ２−１に対応した検出合成結果ＤＴＣ１−１，検出合成結果ＤＴＣ２−１を信号Ｓ１２３として階調変換部１３０に出力する。
つまり検出合成部１２３からは動画表示時のボケ感の発生源である各サブフレーム内の動画のエッジ領域検出結果が検出合成結果ＤＣＴ１−１，検出合成結果ＤＣＴ２−１のように出力され、これが処理領域検出部１２０の出力となり、階調変換部１３０に入力される。【００３６】
階調変換部１３０は、処理領域検出部１２０の出力信号Ｓ１２３に応じてサブフレームＳＦＲＭ１内の動画のエッジ領域にのみ選択的に階調変換を行う第１適応階調変換部１３１と、処理領域検出部１２０の出力信号Ｓ１２３に応じてサブフレームＳＦＲＭ２内の動画のエッジ領域にのみ選択的に階調変換を行う第２適応階調変換部１３２と、選択的に輝度変換されたサブフレームをサブフレームレートの１２０Ｈｚ毎に交互に選択して出力するサブフレーム選択出力部１３３と有する。【００３７】
第１適応階調変換部１３１では処理領域検出部１２０からのサブフレームＳＦＲＭ１の動画のエッジ領域検出結果を受け、サブフレームＳＦＲＭ１の検出領域(図７（Ｄ）の検出合成結果ＤＣＴ１−１)にのみ、図３中の実線Ａで示す特性に従った階調変換を行い、それ以外の領域には階調変換を行わない、という適応処理を行う。【００３８】
同様に、第２適応階調変換部１３２では、サブフレームＳＦＲＭ２の検出領域(図７（Ｄ）の検出合成結果ＤＣＴ２−１)にのみ、図３中の実線Ａ'で示す特性に従った階調変換を行い、それ以外の領域には階調変換を行わない。【００３９】
また、第１および第２適応階調変換部１３１，１３２で使用される階調変換特性は、図３中の実線Ａ，Ａ'で示す特性に限らずに任意に設定可能で、たとえばガンマ(γ)関数で表される非線形曲線の特性を適用しても良い。【００４０】
次に、上記構成による動作を説明する。【００４１】
まず、フレームレート変換部１１０において、入力映像信号ＳＩＮの６０Ｈｚのフレームを１２０ＨｚのサブフレームＳＦＲＭ１，２へとフレームレート変換を行う。
１２０Ｈｚにフレームレート変換されたサブフレームＳＦＲＭ１，２は処理領域検出部１２０および階調変換部１３０に入力される。【００４２】
処理領域検出部１２０においては、動き検出部１２１で第１サブフレームＳＦＲＭ１と第２サブフレームＳＦＲＭ２からサブフレーム内の動画像の動きが検出され、動き検出結果が検出合成部１２３に入力される。
また、エッジ検出部１２２でサブフレーム内のエッジ成分が検出され、エッジ検出結果が検出合成部１２３に入力される。
そして、検出合成部１２３において、動き検出結果とエッジ検出結果とが合成され、合成結果が信号Ｓ１２３として階調変換部１３０に出力される。【００４３】
階調変換部１３０の第１適応階調変換部１３１において、処理領域検出部１２０の出力信号Ｓ１２３に応じてサブフレームＳＦＲＭ１内の動画のエッジ領域にのみ選択的に階調変換が行われ、その結果がサブフレーム選択出力部１３３に入力される。
また、第２適応階調変換部１３２において、処理領域検出部１２０の出力信号Ｓ１２３に応じてサブフレームＳＦＲＭ２内の動画のエッジ領域にのみ選択的に階調変換が行われ、その結果がサブフレーム選択出力部１３３に入力される。
そして、サブフレーム選択出力部１３３においては、選択的に輝度変換されたサブフレームがサブフレームレートの１２０Ｈｚ毎に交互に選択されて液晶パネル１４０に出力される。【００４４】
これにより、動画のエッジ領域にのみ選択的に階調変換された各サブフレームが階調変換部１３０から１２０Ｈｚのフレームレートで液晶パネルに順次入力されて、表示される。
このとき、階調変換された動画のエッジ領域での液晶の応答は図８，図９、６６．７〜８３．３ｍｓ、１００ＩＲＥに示すような、擬似インパルスとなるので動画応答が改善され、それ以外の領域は通常のホールド型表示となる。【００４５】
つまり本実施形態の画像処理装置１００では、動画表示時のボケ感の発生源であるフレーム画像内の動画のエッジ領域にのみ選択的に改善擬似インパルス駆動を適応的に適用させることで、フレーム画像全体に改善擬似インパルス駆動を適用した場合と同等の動画応答改善効果を保ちつつ、かつそれ以外の領域には改善擬似インパルス駆動を適応的に適用しないことでフリッカーの低減を行っている。
これにより、改善擬似インパルス駆動を単にフレーム画像全体に適応させた場合には不可能であった、低フレームレートの場合においての動画応答改善効果とフリッカーの低減の両立を実現している。【００４６】
以上説明したように、本実施形態によれば、入力映像信号ＳＩＮの６０Ｈｚのフレームを１２０Ｈｚの第１サブフレームＳＦＲＭ１および第２サブフレームＳＦＲＭ２へとフレーム変換するフレームレート変換部１１０と、時間的に連続する複数のサブフレームからサブフレーム内の動画像の動きを検出する動き検出部１２１、サブフレーム内のエッジ成分を検出するエッジ検出部１２２、および動き検出結果とエッジ検出結果を合成する検出合成部１２３を含む処理領域検出部１２０と、処理領域検出部１２０の出力信号Ｓ１２３に応じてサブフレームＳＦＲＭ１内の動画のエッジ領域にのみ選択的に階調変換を行う第１適応階調変換部１３１、処理領域検出部１２０の出力信号Ｓ１２３に応じてサブフレームＳＦＲＭ２内の動画のエッジ領域にのみ選択的に階調変換を行う第２適応階調変換部１３２、および選択的に輝度変換されたサブフレームをサブフレームレートの１２０Ｈｚ毎に交互に選択して液晶パネル１４０に出力するサブフレーム選択出力部１３３を含む階調変換部１３０と、を有することから、以下の効果を得ることができる。【００４７】
フレーム画像全体に改善擬似インパルス駆動を適応的に適用した場合と同等の動画応答改善効果を保ちつつ、かつそれ以外の領域には改善擬似インパルス駆動を適応的に適用しないことでフリッカーの低減を実現できる。
これにより、改善擬似インパルス駆動を単にフレーム画像全体に適応的に適用させた場合には不可能であった、低フレームレートの場合においての動画応答改善効果とフリッカーの低減の両立を実現することが可能である。
特に入力信号がＰＡＬ等の低フレームレートの場合は動画応答改善効果とフリッカーの低減の両立が可能となる利点がある。【００４８】
なお、上述の説明では動画表示時のボケ感の発生源であるフレーム画像内の動画のエッジ領域にのみ選択的に改善擬似インパルス駆動を適応的に適用する好適な実施形態について説明したが、選択的に改善擬似インパルス駆動の適応を領域をエッジのみに限定するものではなく、たとえばフレーム画像内においてしきい値以上の所定のレベル差がある領域を選択的に適応するように構成することも可能である。
【図１】
2008016036.tif 000003
【図２】
2008016036.tif 000004
【図３】
2008016036.tif 000005
【図４】
2008016036.tif 000006
【図５】
2008016036.tif 000007
【図６】
2008016036.tif 000008
【図７】
2008016036.tif 000009
【図８】
2008016036.tif 000010
【図９】
2008016036.tif 000011
【国際調査報告】
2008016036.tif 000012
2008016036.tif 000013
2008016036.tif 000014
2008016036.tif 000015